(57)【特許請求の範囲】
【請求項１】
十字状に交差する一対のワイヤロープを、その交差部において把持するためのクロスクリップであって、
略円弧範囲によって連続した直線範囲および円弧範囲を具備する一対の略Ｊ字状部と、前記一対の円弧範囲の端同士を連結する連結部と、前記一対の略Ｊ字状部のうちの一方の略Ｊ字状部の直線範囲に形成されたネジ部と、前記一対の略Ｊ字状部のうちの他方の略Ｊ字状部の直線範囲に形成された屈曲端部と、を具備する屈曲棒材と、
前記ネジ部が貫通自在なネジ貫通部と、前記屈曲端部が貫通自在な屈曲端貫通部と、を具備する押さえ板材と、
前記ネジ部に螺合する押さえナットと、
を有し、
前記押さえ板材が、断面略へ字状または断面略円弧状の板材であって、前記ネジ部が前記ネジ貫通部を貫通すると共に、前記屈曲端部が前記屈曲端貫通部を貫通し、
前記一対のワイヤロープの一方が前記一対の略Ｊ字状部のそれぞれに当接し、
前記一対のワイヤロープの他方が、前記一対のワイヤロープの一方に当接すると共に、前記連結部に当接し、さらに、前記一対のワイヤロープのそれぞれの外径の合計した値が比較的大きいときは、前記押さえ板材の凹面側に当接し、前記一対のワイヤロープのそれぞれの外径の合計した値が比較的小さいときは、押さえ板材の凸面側に当接することを特徴とするクロスクリップ。
【請求項２】
前記ネジ貫通部が、側縁に形成された略Ｕ字状の切欠部であることを特徴とする請求項１記載のクロスクリップ。
【請求項３】
前記屈曲端部が、前記連結部と平行で、前記ネジ部から遠ざかる方向に曲げられていることを特徴とする請求項１または２記載のクロスクリップ。
【請求項４】
前記押さえ板材の凹面側に、屈曲部を跨ぐリブが設けられていることを特徴とする請求項１乃至３の何れかに記載のクロスクリップ。
【請求項５】
前記押さえ板材の凸面側に、屈曲部を跨ぐリブが設けられていることを特徴とする請求項１乃至４の何れかに記載のクロスクリップ。
【発明の詳細な説明】
【技術分野】
【０００１】
本発明はクロスクリップ（ワイヤロープ交差部保持金具に同じ）、特に、法面（斜面）に設置される落石対策施設のワイヤロープ構造物において、ワイヤロープ交差部を保持（把持）するためのクロスクリップに関する。
【背景技術】
【０００２】
落石対策施設として、法面にワイヤロープや金網を設置して、落石の要因となる浮石や軽石の滑動を抑制するものにおいて、ワイヤロープ（主ロープ、補助ロープ）の交差部を保持（把持）するため、クロスクリップ（本発明において「クロスクリップ」と称す）が用いられている。
そして、製造コストを抑えると共に、施工性を改善するために、屈曲棒材と押さえナットとを有するクロスクリップが開示されている。
（例えば、特許文献１参照）。
【先行技術文献】
【特許文献】
【０００３】
【特許文献１】特開２００８−１５６８７１号公報（第５−７頁、図１）
【発明の概要】
【発明が解決しようとする課題】
【０００４】
しかしながら、特許文献１に開示されたクロスクリップは、屈曲棒材が、一対の略レ字状部と、該一対の略レ字状部の傾斜範囲の端同士を連結する連結部と、前記一対の略レ字状部のうちの一方の略レ字状部の鉛直範囲に形成されたネジ部と、前記一対の略レ字状部のうちの他方の略レ字状部の鉛直範囲に形成された屈曲端部と、を具備している。また、押さえ板材は、ネジ部が貫通自在なネジ用孔またはネジ用切欠部と、前記屈曲端部が貫通自在な屈曲端部用孔と、を具備する平坦な板または円弧状に湾曲した板であり、屈曲部材のネジ部に螺合する。
したがって、かかるクロスクリップは、製造コストが安価になると共に、施工性が向上するという顕著な作用効果を奏するものであるものの、以下のような課題があった。
【０００５】
（あ）一対のワイヤロープ径を合計した値が大きい場合、ナットがネジ部に掛らなかったり、ダブルナットを確実に設置することができなかったり、十分な締め付け力が加えられなかったりするため、ネジ部の全長（略レ字状部の鉛直範囲）を長くする必要が生じ、重量が増す。
（い）一方、一対のワイヤロープ径を合計した値が小さい場合、ネジの切り上げ部（不完全ネジ部に同じ）にナットが衝突しても、ナットが押さえ板材に当接しないため、ナットと押さえ板材との間にスペーサを挿設する必要が生じ、部品点数が増す。
（う）このため、様々なワイヤロープ径の組み合わせにそれぞれ応じた複数の屈曲部材が必要になる。
（え）あるいは、様々なワイヤロープ径の組み合わせに対応可能な１種類の屈曲部材にすると、ネジ部の全長を長くしたり、ナットと押さえ板材との間にスペーサを挿設したりすることになり、重量が増すと共に、施工（ハンドリング）が煩雑になる。
【０００６】
本発明は、このような課題に応えるものであり、軽量化や低廉化を図り、様々な外径の落石防止用ワイヤロープを容易に把持することができるクロスクリップを提供することを目的とする。
【課題を解決するための手段】
【０００７】
（１）本発明に係るクロスクリップは、十字状に交差する一対のワイヤロープを、その交差部において把持するためのクロスクリップであって、
略円弧範囲によって連続した直線範囲および円弧範囲を具備する一対の略Ｊ字状部と、前記一対の円弧範囲の端同士を連結する略円弧状の連結部と、前記一対の略Ｊ字状部のうちの一方の略Ｊ字状部の直線範囲に形成されたネジ部と、前記一対の略Ｊ字状部のうちの他方の略Ｊ字状部の直線範囲に形成された屈曲端部と、を具備する屈曲棒材と、
前記ネジ部が貫通自在なネジ貫通部と、前記屈曲端部が貫通自在な屈曲端貫通部と、を具備する押さえ板材と、
前記ネジ部に螺合する押さえナットと、
を有し、
前記押さえ板材が、断面略へ字状または断面略円弧状の板材であって、前記ネジ部が前記ネジ貫通部を貫通すると共に、前記屈曲端部が前記屈曲端貫通部を貫通し、
前記一対のワイヤロープの一方が前記一対の略Ｊ字状部のそれぞれに当接し、
前記一対のワイヤロープの他方が、前記一対のワイヤロープの一方に当接すると共に、前記連結部に当接し、さらに、前記一対のワイヤロープのそれぞれの外径の合計した値が比較的大きいときは、前記押さえ板材の凹面側に当接し、前記一対のワイヤロープのそれぞれの外径の合計した値が比較的小さいときは、押さえ板材の凸面側に当接することを特徴とする。
【０００８】
（２）また、前記（１）において、前記ネジ貫通部が、側縁に形成された略Ｕ字状の切欠部であることを特徴とする。
（３）また、前記（１）または（２）において、前記屈曲端部が、前記連結部と平行で、前記ネジ部から遠ざかる方向に曲げられていることを特徴とする。
（４）また、前記（１）乃至（３）の何れかにおいて、前記押さえ板材の凹面側に、屈曲部を跨ぐリブが設けられていることを特徴とする。
（５）また、前記（１）乃至（４）の何れかにおいて、前記押さえ板材の凸面側に、屈曲部を跨ぐリブが設けられていることを特徴とする。
【発明の効果】
【０００９】
本発明に係るクロスクリップは以上の構成であるから、以下の効果を奏する。
（ｉ）本発明に係るクロスクリップは、屈曲棒材と押さえ板材と押さえナットとを有するから、部品点数が最小に押さえられ、かつ、押さえ板材がネジ貫通部および屈曲端貫通部を具備する断面略へ字状または断面略円弧状の板材であるから、製造コストが安価になる。
（ｉｉ）また、一対のワイヤロープのそれぞれの外径の合計した値が比較的大きいときは、押さえ板材の凹面側にワイヤロープが当接するから、略Ｊ字状部の直線範囲の長さを短縮したり、ネジ部の長さを短縮したりすることができる。また、反対に、一対のワイヤロープのそれぞれの外径の合計した値が比較的小さいときは、押さえ板材の凸面側にワイヤロープが当接するから、ネジ部の長さを短縮したり（ネジ切り上げ位置を円弧範囲から遠ざけたり）、嵩上げのためのスペーサー（座金）の設置を省略したりすることができる。
（ｉｉｉ）さらに、押さえ板材とワイヤロープとの当接面（押さえ板材と押さえナットとの当接面）を切り替える（使い分ける）ことによって、僅かな種類の屈曲部材を用意（在庫）するだけで、様々な外径のワイヤロープ同士の交差部を把持することができる。
したがって、屈曲部材の種類の減少による在庫コストの圧縮や、素材重量や加工量の減少による製造コストの低廉化、さらに、運搬や施工（ハンドリング）が容易になることによる施工コストの低廉化が可能になる。
【００１０】
（ｉｖ）また、ネジ貫通部が側縁に形成された略Ｕ字状の切欠部にしておけば、該切欠部にネジ部を設置する際、押さえ板材の一方の面側から他方の面側に貫通させたり、押さえ板材の側縁から切欠部の奥に向かって浸入させたりすることができるから、施工が容易になる。
（ｖ）また屈曲端部が連結部と平行で、ネジ部から遠ざかる方向に曲げておけば、製作がさらに容易で、かつ、屈曲棒材に押さえ板材を容易に設置することができると共に、設置された押さえ板材が外れることがない。
（ｖｉ）さらに、押さえ板材の凹面側に屈曲部を跨ぐリブ（補剛リブに相当する）を設けておけば、曲げ剛性を高めることができる。また、リブがワイヤロープを局所的に押さえ付けるから、把持が確実になる。
（ｖｉｉ）一方、押さえ板材の凸面側に屈曲部を跨ぐリブ（嵩上げリブに相当する）を設けておけば、一対のワイヤロープのそれぞれの外径の合計した値が比較的小さいときに、当該リブにワイヤロープが当接するから、ネジ部の長さを短縮したまま、スペーサーを用いることなく、把持可能なワイヤーロープの外径の範囲（小さい外径側の範囲）をさらに拡大することできる。また、リブがワイヤロープを局所的に押さえ付けるから、把持が確実になる。
【図面の簡単な説明】
【００１１】
【図１】本発明の実施形態１に係るクロスクリップを構成する各構成部材を示す斜視図。
【図２】図１に示す屈曲棒材を示す正面図、左側面図、右側面図。
【図３】図１に示す押さえ板材を示す上面図、側面視の断面図。
【図４】図１に示す押さえナットを示す正面図（側面図に同じ）。
【図５】図１に示すクロスクリップを用いてワイヤロープを把持する方法を説明する斜視図。
【図６】図１に示すクロスクリップを用いてワイヤロープを把持した状態を工程を追って説明する斜視図（各ワイヤロープの外径を合計した値が比較的大きいとき）。
【図７】図１に示すクロスクリップを用いてワイヤロープを把持した状態を工程を追って説明する斜視図（各ワイヤロープの外径を合計した値が比較的小さいとき）。
【図８】本発明の実施形態１に係るクロスクリップの使用状況を従来のクロスクリップの使用状況と比較するための正面図（外径を合計した値が比較的大きいとき）。
【図９】本発明の実施形態１に係るクロスクリップの使用状況を従来のクロスクリップの使用状況と比較するための正面図（外径を合計した値が比較的小さいとき）。
【図１０】図１に示す押さえ板材の変形例を模式的に説明する正面図、底面図。
【図１１】図１に示す押さえ板材の変形例を模式的に説明する正面図、上面図。
【図１２】図１に示す押さえ板材を押さえる球面座金を模式的に説明する正面図。
【図１３】図１に示す押さえ板材を押さえる球面ナットを模式的に説明する正面図。
【発明を実施するための形態】
【００１２】
［実施形態１：クロスクリップ］
図１は本発明の実施形態１に係るクロスクリップを構成する各構成部材を示す斜視図である。図１において、クロスクリップ１００は、屈曲棒材（以下、「ワープドボルト」と称す）１０と、押さえ板材２０と、押さえナット３０と、から構成されている。
図２は屈曲棒材を示す、（ａ）は正面図、（ｂ）は左側面図、（ｃ）は右側面図である。図３は押さえ板材を示す、（ａ）は上面図、（ｂ）は側面視の断面図、図４は押さえナットを示す正面図（側面図に同じ）である。なお、以下の各図において同じ部分にはこれと同じ符号を付し、一部の説明を省略する。
【００１３】
（屈曲棒材）
図１および図２において、ワープドボルト１０は、一対の略Ｊ字状部１１、１２と、略Ｊ字状部１１、１２の円弧範囲１１ａ、１２ａの端同士を連結する連結部１３と、略Ｊ字状部１１の直線範囲１１ｂに形成されたネジ部１４と、略Ｊ字状部１２の直線範囲１２ｂに形成された屈曲端部１５と、を具備している。
【００１４】
略Ｊ字状部１１、１２は、円弧範囲１１ａ、１２ａと直線範囲１１ｂ、１２ｂとが所定の開き角度を形成し、両者の間には、それぞれ図２において上に凹の円弧状の第１懐範囲１１ｃ、第２懐範囲１２ｃが形成されている。なお、かかる範囲は明りょうに区分けされるものではなく、その境界位置は特定されるものではない。
なお、「略Ｊ字状」とは記載上の便宜であって、「Ｕ字状」あるいは「円弧状の折れ曲がりを有するＶ字状」とも表現されるものである。また、「直線範囲」とは、略Ｊ字状の折れ曲がりを挟んだ「一方の範囲（書き始め側）」を指し、「円弧範囲」とは、略Ｊ字状の折れ曲がりを挟んだ「他方の範囲（書き終わり側）」を指す記載上の便宜である。また、略Ｊ字状部１１、１２は互いに平行なものを図示しているが、本発明はこれに限定するものではなく、たとえば、円弧範囲１１ａと円弧範囲１２ａがハ字状に配置され、直線範囲１１ｂと直線範囲１２ｂとの距離が連結部１３の幅よりも広くなる「末広がり状」を呈してもよい。
【００１５】
連結部１３は円弧状であって、図２において下に凹の第３懐範囲１３ｃが形成されている。このとき、連結部１３と略Ｊ字状部１１、１２（正確には、円弧範囲１１ａ、１２ａ）との境界は明りょうでなく、両者は滑らか曲線（たとえば、円弧）によって繋がっている。
【００１６】
屈曲端部１５は略Ｊ字状部１２の円弧範囲１２ａと滑らか曲線（たとえば、円弧）によって繋がっている（以下、該繋がり部を「屈曲隅部１５ｃ」と称す）。
すなわち、ワープドボルト１０は、棒材をかかる形状に曲げ加工（正確には、ネジ加工を含む）したものである。したがって、屈曲端部１５を形成するための曲げ加工が追加されるものの、屈曲端部１５を設けないで、直線範囲１２ｂにネジ加工をする場合に比較して、製造コストが安価になる。
【００１７】
（押さえ板材）
図１および図３において、押さえ板材２０は、折り曲げ部２３において滑らかに折り曲げられた断面略へ字状の板材であって、凸面２１と凹面２２とを具備している。
そして、一方の側縁に、ワープドボルト１０のネジ部１４が貫通（侵入）自在なネジ貫通切欠部２４が形成され、他方の側縁寄りにワープドボルト１０の屈曲端部１５が貫通自在な屈曲端貫通孔２５と、が形成されている。
【００１８】
なお、押さえ板材２０は断面略へ字状であるが、本発明は折り曲げ部２３の大きさ（広がり）を限定するものではなく、押さえ板材２０全体が略円弧状（全域が折り曲げ部２３に相当する）であってもよい。また、製造方法も限定するものはなく、板材をプレス加工（曲げ、打ち抜き）によっても、機械加工と曲げ加工とによっても、あるいは鋳造によって製造してもよい。
【００１９】
（押さえナット）
図１および図４において、押さえナット（以下、「球面ナット」と称す）３０は、六角柱部３１と、六角柱部３１の一方の端面に形成された、六角柱部３１の中心軸上に球心を有する球面部３２と、六角柱部３１の中心軸と一致する中心軸を有する雌ネジ３３と、を具備している。
したがって、後記するように、押さえ板材２０がワープドボルト１０のネジ部１４に対して傾斜しても、これに当接する球面ナット３０は容易に回転するから、押さえ板材２０を確実に押さえることができる（これについては、別途詳細に説明する）。
なお、本発明は球面ナット３０を用いるものに限定するものではなく、通常の六角ナット（端面が平面）と球面座金を用いてもよい。
【００２０】
（把持方法）
図５は本発明の実施形態１に係るクロスクリップを用いてワイヤロープを把持する方法を模式的に説明する斜視図である。図５において、説明の便宜上、第１ワイヤロープ１が下側で、第２ワイヤロープ２が上側で、それぞれ水平に配置されているとする。なお、図１〜図４と同じ部分にはこれと同じ符号を付し、一部の説明を省略する。
【００２１】
（ワープドボルトの配置）
まず、第１ワイヤロープ１と第２ワイヤロープ２との交差部に、ワープドボルト１０の一部を当接する。すなわち、略Ｊ字状部１１の直線範囲１１ｂと略Ｊ字状部１２の直線範囲１２ｂとを略鉛直下向き（第１懐範囲１１ｃ、第２懐範囲１２ｃが上側）にして、その間に第２ワイヤロープ２が侵入した状態で、連結部１３を第２ワイヤロープ２に当接させる（図５の（ａ））。
次に、第１ワイヤロープ１と第２ワイヤロープ２との交差部に、ワープドボルト１０を配置する。すなわち、連結部１３と第２ワイヤロープ２との当接を維持したまま、該当接位置を支点にして、略Ｊ字状部１１と略Ｊ字状部１２（略Ｊ字状部１１と一体化している）とを第１ワイヤロープ１側に回転させ、略Ｊ字状部１１の第１懐範囲１１ｃ内と略Ｊ字状部１２の第２懐範囲１２ｃ内とに第１ワイヤロープ１を取り込み、直線範囲１１ｂと直線範囲１２ｂとを略鉛直上向き（第１懐範囲１１ｃ、第２懐範囲１２ｃが下側）にする（図５の（ｂ）、（ｃ）参照）。
【００２２】
（押さえ板材の設置）
次に、ワープドボルト１０の屈曲端部１５を、押さえ板材２０の屈曲端貫通孔２５に貫通させ（図５の（ｄ）参照）、さらに、屈曲端貫通孔２５が屈曲隅部１５ｃを通過して直線範囲１２ｂに到達するまで、押さえ板材２０をワープドボルト１０に押し込む。
このとき、押さえ板材２０が屈曲隅部１５ｃを通過するのに伴って、押さえ板材２０はネジ部１４側に転回することになる。そして、押さえ板材２０にはネジ貫通切欠部２４が形成されているから、かかる転回によって、ネジ部１４はネジ貫通切欠部２４内に侵入することになる（図５の（ｅ）参照）。
なお、ネジ貫通切欠部２４に替えて、楕円孔や長穴を形成してもよい。このとき、屈曲端貫通孔２５を楕円孔や長穴にしておけば、ネジ貫通切欠部２４に替わる楕円孔や長穴の長さを小さくすること（楕円度を小さく、扁平度を大きくに同じ）ができる。
【００２３】
（球面ナットの設置）
最後に、ワープドボルト１０のネジ部１４に球面ナット３０を螺合し（図５の（ｅ）参照）、これでもって押さえ板材２０を第２ワイヤロープ２に押し付ける（これについては、別途詳細に説明する）。
【００２４】
（把持状態）
図６〜図７は本発明の実施形態１に係るクロスクリップを用いてワイヤロープを把持する状態を工程を追って模式的に説明する斜視図であって、図６はワイヤロープそれぞれの外径を合計した値が比較的大きいとき、図７はワイヤロープそれぞれの外径を合計した値が比較的小さいときである。なお、図６および図７において、第１ワイヤロープを水平に配置したとして、（ａ）は連結部が前面に見える正面図、（ｂ）は第１ワイヤロープの断面が見える側面図、（ｃ）は略Ｊ字状部の直線範囲が前面に見える背面図である。
【００２５】
(ワイヤロープが太いとき）
図６は、第１ワイヤロープ１および第２ワイヤロープ２の外径が大きいとき（たとえば、何れも１４ｍｍ）であって、押さえ板材２０は、凹面２２が第２ワイヤロープ２に当接している。すなわち、屈曲端貫通孔２５がワープドボルト１０の屈曲隅部１５ｃに係止し、該係止位置が支点になって、ネジ貫通切欠部２４側が高くなるように傾斜している（図６の（ａ）および（ｃ）参照）。そして、第２ワイヤロープ２と連結部１３との当接位置よりも、第２ワイヤロープ２と押さえ板材２０との当接位置の方が高くなっているから、第２ワイヤロープ２は押さえ板材２０側が高くなるように傾斜している（図６の（ｂ）参照）。
【００２６】
そして、第１ワイヤロープ１と第２ワイヤロープ２とは、相互の当接によってそれぞれが「捩れる」たり、それぞれ自体が扁平に変形したりするため、六角ナット６０を締め込む程、押さえ板材２０は前記傾斜が緩和される方向（水平に近くなる方向）に傾動する。
なお、図６は、屈曲端貫通孔２５の内径が屈曲隅部１５ｃの外径よりも僅かに大きい場合であるが、屈曲端貫通孔２５の内径が屈曲隅部１５ｃの外径よりも十分大きい場合には、ワープドボルト１０の屈曲端部１５の下面に、押さえ板材２０の凸面２１が直接当接することになるから、屈曲端部１５側が少し高くなり、前記傾斜は緩和される（水平に近くなる）。
【００２７】
また、図６は、押さえ板材２０のネジ貫通切欠部２４の周囲が、ワープドボルト１０のネジ部１４に対して略垂直になっているため、六角ナット６０を使用しているが、通常は、両者は垂直でないため、球面ナット３０を使用したり、球面座金を介して六角ナット６０を締め付ける。
なお、図６は第１ワイヤロープ１および第２ワイヤロープ２の両方が太い場合を示しているが、第１ワイヤロープ１または第２ワイヤロープ２の一方が太く、両者の外径を合計した値が比較的大きい場合は、凹面２２が第２ワイヤロープ２に当接する。
【００２８】
(ワイヤロープが細いとき）
図７は、第１ワイヤロープ１および第２ワイヤロープ２の外径が小さいとき（たとえば、何れも１２ｍｍ）であって、押さえ板材２０は、凸面２１が第２ワイヤロープ２に当接している。すなわち、屈曲端貫通孔２５がワープドボルト１０の屈曲隅部１５ｃに係止し、該係止位置が支点になって、折り曲げ部２３が低い位置になるように傾斜しているが、押さえ板材２０が断面略へ字状であることから、ネジ貫通切欠部２４は、屈曲隅部１５ｃよりも高い位置になっている（図７の（ａ）および（ｃ）参照）。そして、第２ワイヤロープ２と連結部１３との当接位置よりも、第２ワイヤロープ２と押さえ板材２０との当接位置の方が低くなっているから、第２ワイヤロープ２は押さえ板材２０側が低くなるように傾斜している（図７の（ｂ）参照）。
【００２９】
なお、第１ワイヤロープ１と第２ワイヤロープ２とは当接によってそれぞれが「捩れる」たり、それぞれ自体が扁平に変形したりするため、六角ナット６０を締め込む程、押さえ板材２０の折り曲げ部２３はより低い位置に移動する。
なお、図７には、六角ナット６０が描かれているが、球面ナット３０を使用したり、球面座金を介して六角ナット６０を使用してもよい。
【００３０】
（従来品との比較）
図８および図９は本発明の実施形態１に係るクロスクリップの使用状況を従来のクロスクリップの使用状況と比較するための正面図であって、図８の（ａ）はワイヤロープそれぞれの外径を合計した値が比較的大きいときの従来のクロスクリップ、図８の（ｂ）はワイヤロープそれぞれの外径を合計した値が比較的大きいときの本発明のクロスクリップ（図６の（ａ）に同じ）、図９の（ａ）はワイヤロープそれぞれの外径を合計した値が比較的小さいときの従来のクロスクリップ、図９の（ｂ）はワイヤロープそれぞれの外径を合計した値が比較的小さいときの本発明のクロスクリップ（図７の（ｃ）に同じ）である。
【００３１】
図８の（ａ）において、従来の押さえ平板９０では、押さえ平板９０のネジ貫通切欠部側（図中、左側）が極端に高くなり、ワープドボルト１０の一方の略Ｊ字状部１１から外れてしまい、六角ナット６０がネジ部１４に掛からない。このため、点線で示すようにネジ部１４（直線範囲１１ｂ）を不足長さΔＬだけ延長する必要があった。これに対して、図８の（ｂ）における本発明では、短いネジ部１４（直線範囲１１ｂ）でありながら、六角ナット６０は押さえ板２０に当接している。
【００３２】
図９の（ａ）において、従来の押さえ平板９０では六角ナット６０がネジ部１４の切り上げ部に到達しているものの、押さえ平板９０のネジ貫通切欠部側（図中、左側）が極端に低くなり、ワープドボルト１０のネジ部１４から外れてしまい、六角ナット６０と押さえ平板９０との間には隙間ΔＳが生じ、両者は当接しない。このため、六角ナット６０と押さえ平板９０との間にスペーサ（例えば座金、円筒等、図示しない）を挿設する必要があった。これに対し、図９の（ｂ）における本発明では、スペーサを挿設することなく、六角ナット６０は押さえ板２０に当接している。
すなわち、本発明の断面略へ字状に形成された押さえ板材２０を使用することによって、ワープドボルト１０のネジ部１４の加工長さ（ネジ切り長さ）が短くなっていることや、押さえ平板９０と六角ナット６０との間にスペーサー（円筒）を設置する必要がなくなることが分かる。
【００３３】
以上のように、クロスクリップ１００は、ワープドボルト１０と押さえ板材２０と押さえナット３０とを有するから、部品点数が最小に押さえられ、かつ、押さえ板材２０が断面略へ字状または断面略円弧状の簡素な板材であるから、製造コストが安価になる。また、押さえ板材２０とワイヤロープとの当接面を適宜使い分けることができるから、略Ｊ字状部の直線範囲の長さを短縮したり、ネジ部の長さを短縮したり、嵩上げのためのスペーサー（座金）の設置を省略したりすることができる。
さらに、押さえ板材の種類の減少による在庫コストの圧縮や、素材重量やネジ加工量の減少による製造コストの低廉化、さらに、運搬や施工（ハンドリング）が容易になることによる施工コストの低廉化が可能になる。
【００３４】
また、ネジ貫通切欠部２４が部が側縁に形成された略Ｕ字状の切欠部であるから、ネジ部１４を設置する際、押さえ板材２０の一方の面側から他方の面側に貫通させたり、押さえ板材２０の側縁から切欠部の奥に向かって浸入させたりすることができるから、施工が容易になる。
また、屈曲端部１５が連結部１３と平行で、ネジ部１４から遠ざかる方向に曲げられているから、製作がさらに容易で、かつ、ワープドボルト１０に押さえ板材２０を容易に設置することができると共に、設置された押さえ板材２０が外れることがない。
【００３５】
（押さえ板材変形例）
図１０および図１１は本発明の実施形態１に係るクロスクリップにおける押さえ板材の変形例を模式的に説明するものであって、図７の（ａ）は正面図、図７の（ｂ）は底面図、図８の（ａ）は正面図、図８の（ｂ）は上面図である。
図１０において、押さえ板材７０は押さえ板材２０の凸面２１に折り曲げ部２３を跨いだ嵩上げリブ２７を設けたものである。したがって、凸面２１が第２ワイヤロープに当接する際、嵩上げリブ２７の厚さに略相当する分だけ、第１ワイヤロープ１の外径と第２ワイヤロープ２の外径とを合計した値が小さい場合でも把持すること、あるいは、嵩上げリブ２７の厚さに略相当する分だけ、ネジ部１４の長さを短くすること（ネジ切り上げ位置を連結部１３から遠ざけること）ができる。また、ナットの締め込みによって、嵩上げリブ２７が第２ワイヤロープ２に喰い込むから把持が確実になる（図１２の（ｂ）参照）。
【００３６】
図１１において、押さえ板材８０は押さえ板材２０の凹面２２に折り曲げ部２３を跨いだ補剛リブ２８を設けたものである。したがって、曲げ剛性が高められると共に、凹面２２が第２ワイヤロープ２に当接する際、ナットの締め込みによって、補剛リブ２８が第２ワイヤロープ２に喰い込むから把持が確実になる（図１３の（ａ）参照）。
なお、押さえ板材２０の凸面２１および凹面２２の両方に折り曲げ部２３を跨いだ嵩上げリブ２７および補剛リブ２８を設ければ、それぞれの前記効果が得られる。
また、嵩上げリブ２７または補剛リブ２８の設置要領は限定するものではなく、板材に別部材を設置したり、溶接肉盛したり、あるいは、嵩上げリブ２７または補剛リブ２８に相当するキャビティを具備する鋳型によって全体を鋳造したりしてもよい。
【００３７】
（球面座金について）
図１２は本発明の実施形態１に係るクロスクリップにおける押さえ板材を押さえる球面座金を模式的に説明する正面図である。
図１２の（ａ）において、押さえ板材７０の凸面２１が球面座金５０を介して六角ナット６０によって下方に押し込まれている。このとき、凸面２１は六角ナット６０の下端面６２に平行（ネジ部１４の軸心に垂直）でないものの、球面座金５０が揺動するから、下端面６２は球面座金５０の平面（上端面）５１に広い範囲で当接して回転する。すなわち、平板状の座金を用いたのでは、座金の上面に六角ナット６０の側面に張り出した６個所の稜線が衝突するものの、球面座金５０を用いると、かかる衝突が回避される。
【００３８】
なお、球面座金５０の球面（下端面）５２は、ネジ貫通切欠部２４に一部が浸入し、その側縁に当接している。
すなわち、球面座金５０を用いることによって、球面ナット３０を用いなくても、安価な六角ナット６０によって、様々なワイヤロープ（押さえ板材２０の広い範囲の傾斜）に対してクロスクリップの機能を発揮することができる。
【００３９】
図１２の（ｂ）において、押さえ板材７０の凹面２２が球面座金５０を介して六角ナット６０によって下方に押し込まれているから、図１２の（ａ）と同様の作用効果が得られると共に、また、六角ナット６０の締め込みによって、嵩上げリブ２７が第２ワイヤロープ２に喰い込むから把持が確実になる（図１０参照）。
【００４０】
（球面ナットについて）
図１３は本発明の実施形態１に係るクロスクリップにおける押さえ板材を押さえる球面ナットを模式的に説明する正面図である。
図１３の（ａ）において、押さえ板材７０の凸面２１が球面ナット３０によって下方に押し込まれている。このとき、凸面２１は球面ナット３０の軸心に垂直でないものの、球面ナット３０の一部がネジ貫通切欠部２４に浸入して、その側縁に当接（点接触）しているから、球面ナット３０に形成された雌ネジは、ネジ部１４と平行に保たれて回転する。
すなわち、球面ナット３０を用いることによって、球面座金５０を用いなくても、様々なワイヤロープ（押さえ板材２０の広い範囲の傾斜）に対してクロスクリップの機能を発揮することができるから、部品点数の低減を図ることができる。このとき、球面ナット３０の締め込みによって、補剛リブ２８が第２ワイヤロープ２に喰い込むから把持が確実になる（図１１参照）。
【００４１】
図１３の（ｂ）において、押さえ板材７０の凹面２２が球面ナット３０によって下方に押し込まれているから、図１３の（ａ）と略同様の作用効果が得られる。なお、押さえ板材７０に嵩上げリブ２７を追設しておけば、球面ナット３０の締め込みによって、嵩上げリブ２７が第２ワイヤロープ２に喰い込むから把持が確実になる（図示しない）。
【産業上の利用可能性】
【００４２】
本発明は以上の構成であるから、軽量化や低廉化を図ると共に、様々な外径の線材を容易かつ確実に把持することができるから、ワイヤロープを始め各種棒材や各種線材を、その交差部において把持するクロスクリップとして広く利用することができる。
【符号の説明】
【００４３】
１ 第１ワイヤロープ
２ 第２ワイヤロープ
１０   ワープドボルト（屈曲棒材）
１１   略Ｊ字状部
１１ａ 円弧範囲
１１ｂ 直線範囲
１１ｃ 第１懐範囲
１２   略Ｊ字状部
１２ａ 円弧範囲
１２ｂ 直線範囲
１２ｃ 第２懐範囲
１３   連結部
１３ｃ 第３懐範囲
１４   ネジ部
１５   屈曲端部
１５ｃ 屈曲隅部
２０ 押さえ板材
２１ 凸面
２２ 凹面
２３ 折り曲げ部
２４ ネジ貫通切欠部
２５ 屈曲端貫通孔
２７ 嵩上げリブ
２８ 補剛リブ
３０ 球面ナット（押さえナット）
３１ 六角柱部
３２ 球面部
３３ 雌ネジ
５０ 球面座金
５１ 平面
５２ 球面
６０ 六角ナット
６１ 球面座金
６２ 下端面
７０ 押さえ板材
８０ 押さえ板材
９０ 押さえ平板
１００  クロスクリップ
【図１】
0005388883.tif 000002
【図２】
0005388883.tif 000003
【図３】
0005388883.tif 000004
【図４】
0005388883.tif 000005
【図５】
0005388883.tif 000006
【図６】
0005388883.tif 000007
【図７】
0005388883.tif 000008
【図８】
0005388883.tif 000009
【図９】
0005388883.tif 000010
【図１０】
0005388883.tif 000011
【図１１】
0005388883.tif 000012
【図１２】
0005388883.tif 000013
【図１３】
0005388883.tif 000014